(57)【特許請求の範囲】
【請求項１】
開口部を有するアウタケースと、
このアウタケースにスライド可能に保持され、前記開口部から出入りするインナケースと、
このインナケースを上下に貫通するカップ挿入口と、
前記インナケースに保持され、前記カップ挿入口内に進退し、カップ挿入口の開口縁との間で、カップ挿入口内に挿入されたカップの周囲を保持することが可能なカップ押さえ部材とを備えたカップホルダーにおいて、
上記アウタケースには、前記インナケースのスライド方向に沿って平行に延びた直線部と、この直線部に連続し、アウタケースの幅方向の一方に向かって傾斜するとともに、カップ挿入口内に突出したカップ押さえ部材の後退を阻止する傾斜部とを有するスライド溝を形成し、
前記カップ押さえ部材には、インナケースを挟んでアウタケースに対向するとともに、インナケースに設けられた貫通溝を介して前記スライド溝に突入する移動ピンを形成したことを特徴とするカップホルダー。
【請求項２】
インナケースの貫通溝は、アウタケースのスライド溝の直線部に平行に延び、カップ挿入口に対するカップ押さえ部材のスライドを許容する平行部と、この平行部に連続し、スライド溝の傾斜部と交差する向きに屈曲した屈曲部とを有するとともに、
インナケースとカップ押さえ部材との間には、インナケースを途中まで引き出した中間引き出し位置から、この中間引き出し位置から更にインナケースを引き出した最大引き出し位置の間において、カップ押さえ部材をインナケースに対して平行にスライド方向させるガイド手段を形成したことを特徴とする請求項１記載のカップホルダー。
【請求項３】
請求項２記載のガイド手段は、インナケースとカップ押さえ部材とのいずれか一方に形成されたガイド溝と、いずれか他方に形成され、前記ガイド溝をトレースするガイドピンとから構成され、
前記ガイド溝は、インナケースの貫通溝の平行部と平行に延び、カップ挿入口に対するカップ押さえ部材のスライドを許容する平行部と、この平行部に連続し、貫通溝の屈曲部と同方向に屈曲するとともに、貫通溝の屈曲部と屈曲角度が異なり、貫通溝の屈曲部に突入する移動ピンを中心にカップ押さえ部材を回転させる屈曲部とを有するカップホルダー。
【発明の詳細な説明】
【０００１】
【産業上の利用分野】
この発明は、カップホルダーに関し、特にカップ押さえ部材がカップに押されて後退しないようにしたものである。
【０００２】
【従来の技術】
従来、この種のカップホルダーとして、開口部を有するアウタケースと、このアウタケースにスライド可能に保持され、前記開口部から出入りするインナケースと、このインナケースを上下に貫通するカップ挿入口と、前記インナケースに保持され、前記カップ挿入口内に進退し、カップ挿入口の開口縁との間で、カップ挿入口内に挿入されたカップの周囲を保持することが可能なカップ押さえ部材と、前記インナケースに軸止され、インナケースをアウタケースの開口部から引き出した状態で下方に回転し、カップ挿入口内に挿入されたカップの下部を支持するカップ下支え部材とを備えたものが知られている（例えば実開平６−９０６号公報等）。
【０００３】
上記カップ押さえ部材は、インナケースと連動して進退するように、インナケースとの適度な摩擦力が生じるように摺接していた。
【０００４】
【発明が解決しようとする課題】
しかし、上記した従来のカップホルダでは、カップ押さえ部材とインナケースとが摩擦状態で摺接してたため、中間引き出し状態からインナケースを更に引き出す際に、カップ押さえ部材との間の摩擦力に抗して引き出さなければならないという問題点があった。
【０００５】
すなわち、カップ押さえ部材とインナケースとの摩擦力が弱過ぎると、車両の走行時の振動等により、カップ押さえ部材がカップ挿入口内に挿入されたカップに押されて引っ込んでしまい、カップがガタ付くおそれがある。
これに対し、カップ押さえ部材とインナケースとの摩擦力が強過ぎると、インナケースの中間引き出し位置から最大引き出し位置迄の間のインナーケースの引き出しや収納に大きな力が必要となってしまう。
【０００６】
そこで、請求項１記載の発明は、上記した従来の技術の有する問題点に鑑みてなされたものであり、その目的とするところは、カップ押さえ部材の後退を摩擦力で阻止することなく、スライド溝とこのスライド溝を移動する移動ピンとにより阻止するようにしたので、インナケースの引き出しや収納を比較的軽い力で行え、しかも車両の走行時の振動等によりカップ押さえ部材が不用意に後退しないようにしたカップホルダーを提供しようとするものである。
【０００７】
請求項２記載の発明は、上記した請求項１記載の目的に加え、次の点を目的とする。
すなわち、請求項２記載の発明は、カップ押さえ部材をインナケースと平行に移動するようにするとともに、インナケースの貫通溝の平行部と、アウタケースのスライド溝の屈曲部との交差位置で、カップ押さえ部材の後退を阻止するようにしたカップホルダーを提供しようとするものである。
【０００８】
請求項３記載の発明は、上記した請求項２記載の目的に加え、次の点を目的とする。
すなわち、請求項３記載の発明は、収納時にカップ押さえ部材を回転させるようにすることで、収納スペースを減少できるようにしたカップホルダーを提供しようとするものである。
【０００９】
【課題を解決するための手段】
本発明は、上記した目的を達成するためのものであり、以下にその内容を図面に示した実施例を用いて説明する。
請求項１記載の発明は、次の２つの構成を備えた点を特徴する。
第１に、アウタケース（３０）には、例えば図２に示すように、スライド溝（３６）を形成している。
【００１０】
上記スライド溝（３６）は、例えば図２に示すように、インナケース（４０）のスライド方向に沿って平行に延びた直線部（３６Ａ）と、この直線部（３６Ａ）に連続し、アウタケース（３０）の幅方向の一方（例えば図２の向かって右側）に向かって傾斜するとともに、カップ挿入口（４１）内に突出したカップ押さえ部材（５０）の後退を阻止する傾斜部（３６Ｂ）とを有している。
【００１１】
第２に、カップ押さえ部材（５０）には、例えば図１，２に示すように、インナケース（４０）を挟んでアウタケース（３０）に対向するとともに、インナケース（４０）に設けられた貫通溝（４４）を介して前記スライド溝（３６）に突入する移動ピン（５３）を形成している。
請求項２記載の発明は、上記した請求項１記載の特徴点に加え、次の２つの構成を備えた点を特徴する。
【００１２】
第１に、インナケース（４０）の貫通溝（４４）は、例えば図２に示すように、アウタケース（３０）のスライド溝（３６）の直線部（３６Ａ）に平行に延び、カップ挿入口（４１）に対するカップ押さえ部材（５０）のスライドを許容する平行部（４４Ａ）と、この平行部（４４Ａ）に連続し、スライド溝（３６）の傾斜部（３６Ｂ）と交差する向きに屈曲した屈曲部（４４Ｂ）とを有している。
【００１３】
第２に、インナケース（４０）とカップ押さえ部材（５０）との間には、例えば図１，２に示すように、インナケース（４０）を途中まで引き出した中間引き出し位置（図９〜１１参照）から、この中間引き出し位置から更にインナケース（４０）を引き出した最大引き出し位置（図２〜４参照）の間において、カップ押さえ部材（５０）をインナケース（４０）に対して平行にスライド方向させるガイド手段（例えばガイド溝４５とガイドピン５４）を形成している。
【００１４】
請求項３記載の発明は、上記した請求項２記載の特徴点に加え、次の２つの構成を備えた点を特徴する。
第１に、ガイド手段は、例えば図１，２に示すように、インナケース（４０）とカップ押さえ部材（５０）とのいずれか一方（例えばインナケース４０）に形成されたガイド溝（４５）と、いずれか他方（例えばカップ押さえ部材５０）に形成され、前記ガイド溝（４５）をトレースするガイドピン（５４）とから構成されている。
【００１５】
第２に、前記ガイド溝（４５）は、例えば図２に示すように、インナケース（４０）の貫通溝（４４）の平行部（４４Ａ）と平行に延び、カップ挿入口（４１）に対するカップ押さえ部材（５０）のスライドを許容する平行部（４５Ａ）と、この平行部（４５Ａ）に連続し、貫通溝（４４）の屈曲部（４４Ｂ）と同方向に屈曲するとともに、貫通溝（４４）の屈曲部（４４Ｂ）と屈曲角度が異なり、貫通溝（４４）の屈曲部（４４Ｂ）に突入する移動ピン（５３）を中心にカップ押さえ部材（５０）を回転させる屈曲部（４５Ｂ）とを有している。
【００１６】
【作    用】
したがって、請求項１記載の発明によれば、次のような作用を奏する。
すなわち、インナケース（４０）の収納位置（図７，８参照）から中間引き出し位置（図９〜１１参照）の直前（図１２参照）までの間には、カップ押さえ部材（５０）の移動ピン（５３）は、例えば図２，１２に示すように、アウタケース（３０）のスライド溝（３６）の直線部（３６Ａ）に沿って移動し、カップ押さえ部材（５０）がインナケース（４０）と一体的にスライドする。
【００１７】
そして、インナケース（４０）の中間引き出し位置（図９〜１１参照）では、カップ押さえ部材（５０）の移動ピン（５３）は、例えば図９に示すように、スライド溝（３６）の直線部（３６Ａ）から傾斜部（３６Ｂ）に移動する。このとき、カップ押さえ部材（５０）は、インナケース（４０）のカップ挿入口（４１）内に突出しているため、例えば図１０，１１に示すように、カップ挿入口（４１）の開口縁との間で、カップ挿入口（４１）内に挿入された比較的小径なカップ（２０）の周囲を保持することができる。
【００１８】
このとき、カップ押さえ部材（５０）の後退方向と、スライド溝（３６）の傾斜部（３６Ｂ）とが交差位置にあることから、カップ押さえ部材（５０）の移動ピン（５３）が、例えば図９に示すように、スライド溝（３６）の傾斜部（３６Ｂ）に当接することで、その後退が阻止される。このため、カップ押さえ部材（５０）が、インナケース（４０）のカップ挿入口（４１）内から引っ込むのを防止できる。
【００１９】
さらに、インナケース（４０）の中間引き出し位置（図９〜１１参照）から引き出されると、カップ押さえ部材（５０）がアウタケース（３０）に対して静止状態を維持したまま、例えば図２，３に示すように、インナケース（４０）だけが引き出されるため、カップ押さえ部材（５０）がインナケース（４０）のカップ挿入口（４１）内から相対的に引っ込む。このため、インナケース（４０）の引き出し量に応じ、最大、カップ挿入口（４１）の内径に等しい比較的大径なカップを保持できる。
【００２０】
請求項２記載の発明によれば、上記した請求項１記載の作用に加え、次のような作用を奏する。
すなわち、インナケース（４０）の収納位置（図７，８参照）から中間引き出し位置（図９〜１１参照）の直前（図１２参照）までの間には、カップ押さえ部材（５０）の移動ピン（５３）は、例えば図１２に示すように、インナケース（４０）の貫通溝（４４）の屈曲部（４４Ｂ）に沿って移動し、カップ押さえ部材（５０）は、インナケース（４０）と一体的にスライドする。
【００２１】
そして、インナケース（４０）の中間引き出し位置（図９〜１１参照）では、カップ押さえ部材（５０）の移動ピン（５３）は、例えば図９に示すように、貫通溝（４４）の屈曲部（４４Ｂ）から平行部（４４Ａ）に移動する。このとき、貫通溝（４４）の平行部（４４Ａ）と、スライド溝（３６）の傾斜部（３６Ｂ）とが交差位置にあることから、カップ押さえ部材（５０）の移動ピン（５３）の移動が、スライド溝（３６）の傾斜部（３６Ｂ）に阻止され、カップ押さえ部材（５０）がインナケース（４０）のカップ挿入口（４１）内から引っ込むのを防止できる。
【００２２】
さらに、インナケース（４０）の中間引き出し位置（図９〜１１参照）から引き出されると、カップ押さえ部材（５０）の移動ピン（５３）が、例えば図２に示すように、貫通溝（４４）の平行部（４４Ａ）に沿って移動することで、カップ押さえ部材（５０）がアウタケース（３０）に対して静止状態を維持したまま、インナケース（４０）だけが引き出される。このとき、カップ押さえ部材（５０）が、インナケース（４０）のカップ挿入口（４１）内から相対的にスライドしながら引っ込む。
【００２３】
請求項３記載の発明によれば、上記した請求項２記載の作用に加え、次のような作用を奏する。
すなわち、インナケース（４０）の収納位置（図７，８参照）から中間引き出し位置（図９〜１１参照）の直前（図１２参照）までの間には、ガイドピン（５４）が、例えば図７，１２に示すように、ガイド溝（４５）の屈曲部（４５Ｂ）に沿って移動する。このとき、ガイド溝（４５）の屈曲部（４５Ｂ）と、貫通溝（４４）の屈曲部（４４Ｂ）との屈曲角度が異なるため、貫通溝（４４）の屈曲部（４４Ｂ）に突入する移動ピン（５３）を中心に、カップ押さえ部材（５０）が回転する。
【００２４】
そして、インナケース（４０）の中間引き出し位置（図９〜１１参照）では、ガイドピン（５４）が、例えば図９に示すように、ガイド溝（４５）の屈曲部（４５Ｂ）から平行部（４５Ａ）に移動するため、カップ押さえ部材（５０）がインナケース（４０）と平行になる。
さらに、インナケース（４０）の中間引き出し位置（図９〜１１参照）から引き出されると、ガイドピン（５４）が、例えば図２に示すように、ガイド溝（４５）の平行部（４５Ａ）に沿って移動することで、カップ押さえ部材（５０）がアウタケース（３０）に対して静止状態を維持したまま、インナケース（４０）だけが引き出される。このとき、カップ押さえ部材（５０）が、インナケース（４０）のカップ挿入口（４１）内から相対的にスライドしながら引っ込む。
【００２５】
つぎに、インナケース（４０）を再度、中間引き出し位置（図９〜１１参照）から収納位置（図７，８参照）に押し込むと、ガイドピン（５４）が、例えば図１２に示すように、ガイド溝（４５）の平行部（４５Ａ）から屈曲部（４５Ｂ）に沿って移動する。このとき、ガイド溝（４５）の屈曲部（４５Ｂ）と、貫通溝（４４）の屈曲部（４４Ｂ）との屈曲角度が異なるため、貫通溝（４４）の屈曲部（４４Ｂ）に突入する移動ピン（５３）を中心に、カップ押さえ部材（５０）が回転しながら収納される。
【００２６】
【実施例】
図１〜１２は、本発明の第１実施例を示すものであり、図１は分解斜視図、図２はインナケースの最大引き出し位置を示す平面図、図３は図２のＩＩＩ−ＩＩＩ線に沿う断面図、図４は図２のＩＶ−ＩＶ線に沿う断面図、図５は図２のＶ−Ｖ線に沿う断面図、図６は図２のＶＩ−ＶＩ線に沿う断面図、図７はインナケースの収納位置を示す説明図、図８は図７のＶＩＩＩ−ＶＩＩＩ線に沿う断面図、図９はインナケースの中間引き出し位置を示す説明図、図１０は図９の平面図、図１１は図１０のＸＩ−ＸＩ線に沿う断面図、図１２はインナケースの中間引き出し位置の直前の位置を示す説明図をそれぞれ示す。
【００２７】
図中、１０は、カップホルダーを示すものであり、このカップホルダー１０は、図示しないが、例えば車室内に装着され、例えば飲料用の紙コップや、紙パック、或いは缶や瓶類等のカップ２０を保持するのに使用される。
上記カップホルダー１０は、図１に示すように、大別すると、次の４つの構成を備えている。
【００２８】
第１は、アウタケース３０で、このアウタケース３０は、図示しないが、車室内に固定されるとともに、その前面には、図２に示すように、開口部３１を有している。
第２は、インナケース４０で、このインナケース４０は、図１〜３に示すように、アウタケース３０にスライド可能に保持され、前記開口部３１から出入りするものである。そして、インナケース４０には、上下に貫通する、本実施例では、１個の円形なカップ挿入口４１が形成されている。
【００２９】
第３に、カップ押さえ部材５０で、このカップ押さえ部材５０は、図１〜３に示すように、前記インナケース４０に保持され、前記カップ挿入口４１内に進退し、カップ挿入口４１の開口縁との間で、カップ挿入口４１内に挿入されたカップ２０の周囲を保持することが可能である。
第４は、カップ下支え部材６０で、このカップ下支え部材６０は、図１〜３に示すように、前記インナケース４０に軸止され、インナケース４０をアウタケース３０の開口部３１から引き出した状態で下方に回転し、カップ挿入口４１内に挿入されたカップ２０の下部を支持するものである。
【００３０】
つぎに、上記した構成について個別に詳しく説明する。
まず、アウタケース３０は、図１に示すように、前後面が開放した断面がロ字形の中空なケース型を成している。そして、アウタケース３０は、適度な剛性を有する、例えばＡＢＳ等の熱可塑性樹脂で一体的に形成されている。
具体的には、アウタケース３０は、図１に示すように、左右一対の側壁３２，３２と、左右の側壁３２の前半部の下面を塞ぐ底壁３３と、左右の側壁３２の上面を塞ぐ蓋壁３４とを有し、前後面と、下面の一部、ここでは後半部とが各々開放している。
【００３１】
上記左右の側壁３２の前縁部には、図１に示すように、左右外向きに張り出した左右一対の取付片３５，３５が形成され、左右の取付片３５により、図示しないが、車室内に埋設状に固定される。
上記蓋壁３４の下面には、図２に示すように、スライド溝３６が形成されている。このスライド溝３６は、全体が略Ｊ字形を成し、インナケース４０のスライド方向に沿って平行に延びた直線部３６Ａと、この直線部３６Ａに連続し、アウタケース３０の幅方向の一方、本実施例では図２の向かって右側に向かって略Ｊ字形に傾斜するとともに、カップ挿入口４１内に突出したカップ押さえ部材５０の後退を阻止する傾斜部３６Ｂとを有する。
【００３２】
前記インナケース４０は、図１に示すように、前後に長い方形を成し、下面が開放した断面コ字形を成している。そして、インナケース４０は、適度な弾性と剛性とを有する、例えばＡＢＳ等の熱可塑性樹脂で一体的に形成されている。
具体的には、インナケース４０は、図１に示すように、アウタケース３０内に収納されるケース本体部４２と、このケース本体部４２の前縁部に位置し、アウタケース３０の開口部３１より大きく張り出したケース引き出し部４３とを有する。
【００３３】
そして、前記カップ挿入口４１は、図１，２に示すように、前記ケース本体部４２の前半部から、ケース引き出し部４３に一部跨って形成されている。また、カップ挿入口４１の内周面には、三角形に切り欠いた４個の切欠部４１ａ・・・を形成し、角形のパック類等のようなカップ２０でも保持できるようにしている。
前記ケース本体部４２の後半部には、図１，２に示すように、アウタケース３０のスライド溝３６と上下方向に一部重なり合う貫通溝４４と、この貫通溝４４に隣接したガイド溝４５とが形成されている。
【００３４】
上記貫通溝４４は、図２に示すように、全体が略への字形を成し、アウタケース３０のスライド溝３６の直線部３６Ａに平行に延び、カップ挿入口４１に対するカップ押さえ部材５０のスライドを許容する平行部４４Ａと、この平行部４４Ａに連続し、スライド溝３６の傾斜部３６Ｂと交差する向き、すなわち本実施例では図２の向かって左側に屈曲した屈曲部４４Ｂとを有する。
【００３５】
前記ガイド溝４５は、図２に示すように、上記貫通溝４４と同様に、全体が略への字形を成し、インナケース４０の貫通溝４４の平行部４４Ａと平行に延び、カップ挿入口４１に対するカップ押さえ部材５０のスライドを許容する平行部４５Ａと、この平行部４５Ａに連続し、貫通溝４４の屈曲部４４Ｂと同方向に、本実施例では図２の向かって左側に屈曲するとともに、貫通溝４４の屈曲部４４Ｂと屈曲角度が異なり、本実施例では、貫通溝４４の屈曲部４４Ｂより緩やかに傾斜し、カップ押さえ部材５０を回転させる屈曲部４５Ｂとを有する。
【００３６】
また、前記ケース本体部４２の後半部には、図２，３に示すように、前記貫通溝４４とガイド溝４５と左右両側に位置し、下面から突出した左右一対の弾性爪部４６，４６が形成されている。これに対し、アウタケース３０の底壁３３には、インナケース４０の最大突出位置において、左右の弾性爪部４６がはまり込む左右一対の係止孔３７，３７が形成され、インナケース４０の最大突出位置を規制している。
【００３７】
前記カップ押さえ部材５０は、図１に示すように、平面が略Ｙ字形を成し、薄い平板状を成している。そして、カップ押さえ部材５０は、適度な剛性を有するＰＯＭ等の熱可塑性樹脂で一体的に形成されている。
具体的には、カップ押さえ部材５０は、図１に示すように、インナケース４０内をスライドする平面が略方形のスライド部５１と、このスライド部５１の前端部からＣ字形に張り出したカップ受け部５２とを備えている。
【００３８】
上記スライド部５１の上面には、図１，２に示すように、インナケース４０の貫通溝４４を介してアウタケース３０のスライド溝３６に突入する移動ピン５３と、インナケース４０のガイド溝４５に突入するガイドピン５４とを有する。
そして、スライド部５１は、図２３に示すように、インナケース４０の下面に形成されたスライド保持部７０によりスライド可能に保持されている。
【００３９】
前記カップ受け部５２は、図１，９に示すように、その中央から凹状に湾曲し、インナケース４０のカップ挿入口４１の内周面とほぼ同じ曲率を有する湾曲部５５と、この湾曲部５５の左右両側に位置し、平坦な左右一対の平坦部５６とを有する。
上記湾曲部５５は、図１０に示すように、カップ受け部５２がインナケース４０のカップ挿入口４１内に突出した状態で、カップ挿入口４１の開口前縁部との対向間隔内に、円形のカップ２０を保持するためのものである。また、前記左右の平坦部５６は、図９に示すように、インナケース４０のカップ挿入口４１の開口前縁部の２個の切欠部４１ａと協同して、角形のパック類等のようなカップ２０を保持するためのものである。
【００４０】
前記カップ下支え部材６０は、図１，３に示すように、インナケース４０に軸止される支持部６１と、この支持部６１の左右両端部から各々垂設した左右一対の垂下片６２，６２と、左右の垂下片６２の下端部を連結するカップ受け片６３とを有する。そして、カップ下支え部材６０は、適度な剛性を有するＰＰＦ等の熱可塑性樹脂で一体的に形成されている。
【００４１】
上記支持部６１の両端部には、図１に示すように、左右外向きに張り出した左右一対の突軸６４，６４を備えている。これに対し、インナケース４０の左右側面には、前記左右の突軸６４がはまり込む左右一対の軸穴４７が形成され、カップ下支え部材６０は、左右の軸穴４７を中心に旋回する。
したがって、インナケース４０の収納位置では、カップ下支え部材６０は、図８に示すように、アウタケース３０内にほぼ水平に格納される。
【００４２】
そして、インナケース４０が引き出されると、カップ下支え部材６０は、図３，１１に示すように、その自重により、インナケース４０の左右の軸穴４７を中心に下方に向かって旋回する。
これに対し、インナケース４０が再度、押し込まれると、カップ下支え部材６０の左右の垂下片が、アウタケース３０の底壁３３に押され、カップ下支え部材６０は、図８に示すように、インナケース４０の左右の軸穴４７を中心に上方に向かって旋回し、ほぼ水平状態でアウタケース３０内に再度、収納される。
【００４３】
また、支持部６１の両端部には、図１に示すように、後ろ向きに延びた左右一対の当接片６５，６５が形成されている。左右の当接片６５は、インナケース４０のケース本体部４２の下面に当接することで、図４に示すように、カップ下支え部材６０の最大傾斜角度を規制している。
前記左右の垂下片６２は、図１，３に示すように、斜め下方に向かって傾斜して延びている。また、左右の垂下片６２の長さの途中には、円弧状に上方に向かって凹んだ中間係止部６６が各々形成されている。左右の垂下片６２の中間係止部６５は、インナケース４０を途中まで引き出した中間引き出し状態で、図１１に示すように、アウタケース３０の底壁３３の前縁部に各々当接することで、カップ下支え部材６０を中間傾斜位置に静止させる。
【００４４】
前記カップ受け片６３は、薄い板状で、図３に示すように、カップ下支え部材６０の最大旋回位置で水平状態を維持するように、左右の垂下片６２の下端部に連接している。
一方、アウタケース３０とインナケース４０との間には、摩擦係止手段が設けられている。
【００４５】
本第１実施例では、インナケース４０のケース本体部４２の左右両側に、図２に示すように、アウタケース３０の左右の側壁３２の内側面に摺接するＣ字形に突出した左右一対の弾性突出片４８を各々形成している。このため、左右の弾性突出片４８が、アウタケース３０の左右の側壁３２の内側面に弾性的に摺接することで、インナケース４０が車の振動等のより不用意にスライドしないようにしている。
【００４６】
また、アウタケース３０の左右の側壁３２の内側面は、弾性突出片４８に対して接離し、摩擦力を変化させている。
すなわち、左右の側壁３２の内側面の後半部は、弾性突出片４８から離れるように低くなっている。これに対し、左右の側壁３２の内側面の前半部は、弾性突出片４８に接近するように高くなっている。
【００４７】
このため、インナケース４０を引き出す前半部では、摩擦抵抗が小さくなり、インナケース４０を比較的軽い力で引き出すことができる。これに対し、インナケース４０を引き出す後半部では、摩擦抵抗が大きくなり、インナケース４０が車の振動等のより不用意にスライドしないようにしている。
また、アウタケース３０の左右の側壁３２の低所８０の後端部には、図２に示すように、弾性突出片４８に向かって徐々に隆起した隆起部８２を形成している。この隆起部８２を、インナケース４０の収納位置において、図７に示すように、弾性突出片４８が乗り越えることで、インナケース４０が不用意にアウタケース３０から突出しないようにしている。
【００４８】
さらに、アウタケース３０の左右の側壁３２の高所８１の中間部には、図２に示すように、弾性突出片４８がはまり込む凹部８３を形成している。この凹部８３には、インナケース４０の中間引き出し位置において、図９に示すように、弾性突出片４８がパチンと弾性的にはまり込むことで、操作者にクリック感を与えている。
また、アウタケース３０の左右の側壁３２の高所８１の前端部には、図２に示すように、一段低くなった段部８４を形成している。この段部８４には、インナケース４０の最大引き出し位置において、同図に示すように、弾性突出片４８がパチンと弾性的に落ち込むことで、操作者にクリック感を与えている。
【００４９】
つぎに、上記構成を備えたカップホルダー１０の使用手順について説明する。
まず、収納状態にあるインナケース４０を引き出すには、そのケース引き出し部４３に下方から指を差し入れて、インナケース４０を引き出せばよい。
インナケース４０を引き出すと、カップ押さえ部材５０の移動ピン５３は、図１２に示すように、アウタケース３０のスライド溝３６の直線部３６Ａに沿って移動し、カップ押さえ部材５０がインナケース４０と一体的にスライドする。
【００５０】
このとき、カップ押さえ部材５０の移動ピン５３は、図１２に示すように、インナケース４０の貫通溝４４の屈曲部４４Ｂに位置している。このため、カップ押さえ部材５０のカップ受け部５２が、インナケース４０のカップ挿入口４１内に突出している。
また、カップ押さえ部材５０のガイドピン５４は、図１２に示すように、インナケース４０のガイド溝４５の屈曲部４５Ｂに位置している。ガイド溝４５の屈曲部４５Ｂは、貫通溝４４の屈曲部４４Ｂより緩やかに傾斜していることから、カップ押さえ部材５０は、その移動ピン５３を中心に時計回りに少し回転した状態にある。
【００５１】
さらに、インナケース４０が引き出されると、その左右の弾性突出片４８が、図９に示すように、アウタケース３０の左右の側壁３２の凹部８３にパチンと弾性的にはまり込むことで、操作者は、インナケース４０を中間引き出し位置まで引き出したことがわかる。
このとき、カップ押さえ部材５０の移動ピン５３は、図９に示すように、アウタケース３０のスライド溝３６の直線部３６Ａから傾斜部３６Ｂに進む。同時に、カップ押さえ部材５０の移動ピン５３は、インナケース４０の貫通溝４４の屈曲部４４Ｂから平行部４４Ａに進む。
【００５２】
また、このとき、カップ押さえ部材５０のガイドピン５４が、図９に示すように、インナケース４０のガイド溝４５の屈曲部４５Ｂから平行部４５Ａに進む。このため、ガイドピン５４と移動ピン５３とが平行になり、その際にカップ押さえ部材５０が、その移動ピン５３を中心に反時計回りに少し回転し、インナケース４０と平行になる。
さらに、インナケース４０が引き出された際に、カップ下支え部材６０は、その自重により、インナケース４０の左右の軸穴４７を中心に下方に向かって旋回する。そして、カップ下支え部材６０は、図１１に示すように、その左右の垂下片６２の中間係止部６６が、アウタケース３０の底壁３３の前縁部に各々当接することで、中間傾斜位置に静止する。
【００５３】
インナケース４０の中間引き出し位置では、図１０，１１に示すように、カップ押さえ部材５０が、インナケース４０のカップ挿入口４１内に突出しているため、その湾曲部５５とカップ挿入口４１の開口前縁部との対向間隔内に、カップ挿入口４１内に挿入された比較的小径なカップ２０の周囲を保持することができる。
また、このとき、アウタケース３０のスライド溝３６の傾斜部３６Ｂと、インナケース４０の貫通溝４４の平行部４４Ａとが交差位置にあることから、カップ押さえ部材５０の移動ピン５３が、図９に示すように、スライド溝３６の傾斜部３６Ｂに当接することで、その後退が阻止される。このため、車の振動等により、インナケース４０のカップ挿入口４１内に挿入されたカップ２０が振動し、カップ２０に押されて、カップ押さえ部材５０が、カップ挿入口４１から引っ込むのを防止できる。
【００５４】
さらに、インナケース４０が引き出されると、カップ押さえ部材５０が静止状態を維持したまま、インナケース４０及びカップ下支え部材６０が引き出される。
すなわち、カップ押さえ部材５０の移動ピン５３が、図２，９に示すように、アウタケース３０のスライド溝３６の傾斜部３６Ｂの先端部に突き当たって、カップ押さえ部材５０の前進が阻止されている。
【００５５】
これに対し、インナケース４０が引き出されると、カップ押さえ部材５０の移動ピン５３が、図２に示すように、インナケース４０の貫通溝４４の平行部４４Ａに沿って相対的に移動する。同様に、カップ押さえ部材５０のガイドピン５４も、インナケース４０のガイド溝４５の平行部４５Ａに沿って相対的に移動する。
このようにカップ押さえ部材５０が静止状態を維持したまま、インナケース４０及びカップ下支え部材６０が引き出される。
【００５６】
このため、インナケース４０が引き出されると、インナケース４０のカップ挿入口４１内に突出していたカップ押さえ部材５０のカップ受け部５２が、インナケース４０のカップ挿入口４１内から相対的に引っ込む。
そこで、インナケース４０の引き出し量に応じて、図１０，１１に示すように、カップ押さえ部材５０の湾曲部５５とインナケース４０のカップ挿入口４１の開口前縁部との対向間隔を徐々に拡大できる。このため、インナケース４０のカップ挿入口４１に保持できるカップ２０の外形を徐々に拡大できる。
【００５７】
このとき、インナケース４０の左右の弾性突出片４８は、図示しないが、アウタケース３０の左右の側壁３２の凹部８３の乗り越え、高所８１に位置していることから、摩擦抵抗が大きくなり、インナケース４０の後退やガタ付きを防止する。
そして、インナケース４０を最大突出位置まで引き出すと、インナケース４０の左右の弾性突出片４８が、図２に示すように、アウタケース３０の左右の側壁３２の段部８４にパチンと落ち込むことで、操作者は、インナケース４０を最大引き出し位置まで引き出したことがわかる。
【００５８】
同時に、インナケース４０の下面の左右の弾性爪部４６が、図３に示すように、アウタケース３０の底壁３３の左右の係止孔３７にはまり込むことで、インナケース４０をそれ以上引き出せなくなくなる。
この最大引き出し位置では、カップ押さえ部材５０のカップ受け部５２が、図２に示すように、インナケース４０のカップ挿入口４１内から完全に引っ込む。このため、図３に示すように、インナケース４０のカップ挿入口４１の内径以上の比較的大径なカップ２０を保持できる。
【００５９】
また、このとき、カップ下支え部材６０は、図４に示すように、その左右の当接片６５，６５が、インナケース４０のケース本体部４２の下面に当接することで、最大傾斜位置に静止する。
一方、インナケース４０を収納する際には、インナケース４０をアウタケース３０内に手で押し込めばよく、上記と逆の手順で収納される。
【００６０】
このとき、カップ下支え部材６０は、図８に示すように、その左右の垂下片が、アウタケース３０の底壁３３に押され、バネ７０の付勢力に抗して、インナケース４０の左右の軸穴４７を中心に上方に向かって旋回し、ほぼ水平状態でアウタケース３０内に再度、収納される。
また、カップ押さえ部材５０は、図９に示すように、その移動ピン５３を中心に時計回りに少し回転しながら、アウタケース３０内に収納される。すなわち、カップ押さえ部材５０の移動ピン５３が、アウタケース３０のスライド溝３６の傾斜部３６Ｂから直線部３６Ａに戻る際に、移動ピン５３がインナケース４０の貫通溝４４の平行部４４Ａから屈曲部４４Ｂに進み、又、ガイドピン５４も、ガイド溝４５の平行部４５Ａから屈曲部４５Ｂに進む。このとき、ガイド溝４５の屈曲部４５Ｂは、貫通溝４４の屈曲部４４Ｂより緩やかに傾斜していることから、カップ押さえ部材５０が、その移動ピン５３を中心に時計回りに回転する。このため、カップ押さえ部材５０を収納するために必要とする、アウタケース３０の左右の側壁３２の対向間隔を比較的、幅狭に設定することができる。
【００６１】
なお、本第１実施例では、ガイド手段を、インナケース４０のガイド溝４５と、カップ押さえ部材５０のガイドピン５４とから構成したが、これに限らず、逆にインナケース４０にガイドピンを形成し、カップ押さえ部材５０にガイド溝を形成してもよい。
図１３〜２０は、本発明の第２実施例を示すものであり、図１３はインナケースの最大引き出し位置を示す平面図、図１４は図１３のＸＩＶ−ＸＩＶ線に沿う断面図、図１５は図１３のＸＶ−ＸＶ線に沿う断面図、図１６は図１３のＸＶＩ−ＸＶＩ線に沿う断面図、図１７は図１３のＸＶＩＩ−ＸＶＩＩ線に沿う断面図、図１８はインナケースの収納状態を示す縦断面図、図１９はインナケースの中間引き出し位置を示す平面図、図２０は図１９のＸＸ−ＸＸ線に沿う断面図をそれぞれ示す。
【００６２】
本第２実施例の特徴は、インナケース４０に、図１３に示すように、大小２個のカップ挿入口４１Ａ，４１Ｂを形成した点にある。
そして、２個のカップ挿入口４１Ａ，４１Ｂのうち、大径なカップ挿入口４１Ａに、図１３に示すように、カップ押さえ部材５０を装着している。
もちろん、小径なカップ挿入口４１Ｂにも、カップ押さえ部材５０を装着してもよい。
【００６３】
上記カップ押さえ部材５０のカップ受け部５２の湾曲部５５には、図１９に示すように、インナケース４０のカップ挿入口４１の開口前縁部の２個の切欠部４１ａと対向する位置に、同様に三角形に切り欠かれた左右一対の切欠部５７，５７を形成している。
上記左右の切欠部５７は、先に説明した第１実施例の左右の平坦部５６と同様に作用し、図１９に示すように、カップ受け部５２がインナケース４０のカップ挿入口４１内に突出した状態で、インナケース４０のカップ挿入口４１の開口前縁部の２個の切欠部４１ａと協同して、図示しないが、角形のパック類等のようなカップ２０を保持することができる。
【００６４】
また、本第２実施例では、インナケース４０の貫通溝４４及びガイド溝４５を、図１３に示すように、Ｌ字形に形成している。なお、貫通溝４４及びガイド溝４５は、同一溝形状であれば、Ｌ字形に限らず、への字形でもよい。
このため、本第２実施例では、インナケース４０の収納時に、図示しないが、カップ押さえ部材５０が、横にスライドする。このように、カップ押さえ部材５０が横にスライドするようにしたのは、先に説明した第１実施例のものに比較して、アウタケース３０の左右の幅が大きいので、カップ押さえ部材５０を回転させて収納する必要がないためである。
【００６５】
なお、本第２実施例の説明において、先に説明した第１実施例と同一の構成部分については、同一の符号を付し、説明を省略する。
また、本第２実施例では、カップ挿入口４１Ａ，４１Ｂを大小２個形成したが、両カップ挿入口４１Ａ，４１Ｂの内径を同じくしてもよいし、或いは３個以上形成してもよい。
【００６６】
図２１〜２５は、本発明の他の実施例を示すものであり、図２１は分解斜視図、図２２はインナケースの最大引き出し位置を示す平面図、図２３は図２２のＸＸＩＩＩ−ＸＸＩＩＩ線に沿う断面図、図２４はインナケースの中間引き出し位置を示す平面図、図２５は図２４のＸＸＶ−ＸＸＶ線に沿う断面図をそれぞれ示す。
本実施例の特徴は、カップ押さえ部材９０が、図２１，２２，２４に示すように、回転することで、インナケース４０の大径なカップ挿入口４１Ａ内に突出するようにしたものである。
【００６７】
もちろん、小径なカップ挿入口４１Ｂにも、カップ押さえ部材９０を装着してもよい。
すなわち、カップ押さえ部材９０が、図２１，２２に示すように、Ｓ字状に湾曲し、その後端部に上方に向かって突出した移動ピン９１が形成されている。そして、カップ押さえ部材９０の移動ピン９１の手前には、上下に貫通した軸穴９２が形成されている。また、カップ押さえ部材９０の前端部は、Ｃ字形に湾曲した湾曲部９３を形成し、その内周面の曲率をインナケース４０のカップ挿入口４１の内周より少し大きく設定している。
【００６８】
これに対し、インナケース４０の下面には、図２１，２２に示すように、カップ押さえ部材９０の軸穴９２に通る、下向きに突出した固定軸１００を形成している。また、この固定軸１００を中心として円弧を成し、カップ押さえ部材９０の移動ピン９１が通る、インナケース４０を上下に貫通する貫通溝１０１を形成している。そして、カップ押さえ部材９０の移動ピン９１は、インナケース４０の貫通溝１０１を介して、アウタケース３０のスライド溝３６に突入する。
【００６９】
なお、本実施例の説明において、先に説明した第１実施例と同一の構成部分については、同一の符号を付し、説明を省略する。
本実施例によれば、図示しないが、インナケース４０の収納位置では、カップ押さえ部材９０の移動ピン９１は、アウタケース３０のスライド溝３６の直線部３６Ａに位置し、スライド溝３６の直線部３６Ａに対して、インナケース４０の固定軸１００が、図２４の向かって右側に位置することから、カップ押さえ部材９０の湾曲部９３がインナケース４０のカップ挿入口４１Ａ内に突出する。
【００７０】
そして、収納位置からインナケース４０を中間引き出し位置まで引き出すと、図２４に示すように、カップ押さえ部材９０の移動ピン９１が、アウタケース３０のスライド溝３６の直線部３６Ａと傾斜部３６Ｂとの境界部に位置する。
このため、カップ押さえ部材９０の移動ピン９１に対して、インナケース４０の固定軸１００が、図２４の向かって右側に位置していることから、カップ押さえ部材９０の湾曲部９３がインナケース４０のカップ挿入口４１Ａ内に突出する。
【００７１】
そこで、インナケース４０の中間引き出し位置では、図２４，２５に示すように、カップ押さえ部材９０が、インナケース４０のカップ挿入口４１Ａ内に突出しているため、カップ挿入口４１Ａの開口側縁部との間で、カップ挿入口４１内に挿入された比較的小径なカップ２０の周囲を保持することができる。
このとき、カップ押さえ部材９０は、図２４に示すように、移動ピン９１と軸穴９２との２点の位置か固定されていることから、その回転が阻止されている。このため、車の振動等により、インナケース４０のカップ挿入口４１Ａ内に挿入されたカップ２０が振動し、カップ２０に押されて、カップ押さえ部材９０が、カップ挿入口４１Ａから引っ込むのを防止できる。
【００７２】
インナケース４０を中間引き出し位置から更に引き出すと、図示しないが、カップ押さえ部材９０の移動ピン９１が、アウタケース３０のスライド溝３６の傾斜部３６Ｂに沿って進む。
このため、カップ押さえ部材９０の移動ピン９１が、図示しないが、図２４の向かって右側に次第に移動し、カップ押さえ部材９０は、インナケース４０の固定軸１００を中心に反時計回りに回転し、インナケース４０のカップ挿入口４１Ａ内から次第に後退する。
【００７３】
そこで、インナケース４０の引き出し量に応じて、図２４，２５に示すように、カップ押さえ部材９０の湾曲部９３とインナケース４０のカップ挿入口４１Ａの開口側縁部との対向間隔を徐々に拡大できる。このため、インナケース４０のカップ挿入口４１Ａに保持できるカップ２０の外形を徐々に拡大できる。
こうして、インナケース４０を最大引き出し位置まで引き出すと、図２２に示すように、カップ押さえ部材９０の移動ピン９１と、インナケース４０の固定軸１００とがインナケース４０のスライド方向に直線的に位置する。このため、カップ押さえ部材９０が、インナケース４０の固定軸１００を中心に更に反時計回りに回転し、インナケース４０のカップ挿入口４１Ａ内から完全に引っ込む。そこで、図２２，２３に示すように、インナケース４０のカップ挿入口４１Ａの内径以上の比較的大径なカップ２０を保持できる。
【００７４】
なお、本実施例では、インナケース４０の貫通溝１０１を、その固定軸１００を中心として円弧状に形成したが、これに限らず、カップ押さえ部材９０の移動ピン９１が通り、しかも移動ピン９１がアウタケース３０のスライド溝３６に沿って移動できれば、どのような溝や穴であってもよい。
また、カップ挿入口４１Ａ，４１Ｂを大小２個形成したが、両カップ挿入口４１Ａ，４１Ｂの内径を同じくしてもよいし、或いは３個以上形成してもよい。
【００７５】
【発明の効果】
本発明は、以上のように構成されているので、以下に記載されるような効果を奏する。
請求項１記載の発明によれば、次のような効果を奏する。
すなわち、請求項１記載の発明によれば、カップ押さえ部材の後退を摩擦力で阻止することなく、スライド溝とこのスライド溝を移動する移動ピンとにより阻止するようにしたので、インナケースの引き出しや収納を比較的軽い力で行え、しかも車両の走行時の振動等によりカップ押さえ部材が不用意に後退しないようにしたカップホルダーを提供することができる。
【００７６】
請求項２記載の発明は、上記した請求項１記載の効果に加え、次のような効果を奏する。
すなわち、請求項２記載の発明によれば、カップ押さえ部材をインナケースと平行に移動するようにするとともに、インナケースの貫通溝の平行部と、アウタケースのスライド溝の屈曲部との交差位置で、カップ押さえ部材の後退を阻止するようにしたカップホルダーを提供することができる。
【００７７】
請求項３記載の発明は、上記した請求項２記載の効果に加え、次のような効果を奏する。
すなわち、請求項３記載の発明によれば、収納時にカップ押さえ部材を回転させるようにすることで、収納スペースを減少できるようにしたカップホルダーを提供しようとすることができる。
【図面の簡単な説明】
【図１】分解斜視図である。
【図２】インナケースの最大引き出し位置を示す平面図である。
【図３】図２のＩＩＩ−ＩＩＩ線に沿う断面図である。
【図４】図２のＩＶ−ＩＶ線に沿う断面図である。
【図５】図２のＶ−Ｖ線に沿う断面図である。
【図６】図２のＶＩ−ＶＩ線に沿う断面図である。
【図７】インナケースの収納位置を示す説明図である。
【図８】図７のＶＩＩＩ−ＶＩＩＩ線に沿う断面図である。
【図９】インナケースの中間引き出し位置を示す説明図である。
【図１０】図９の平面図である。
【図１１】図１０のＸＩ−ＸＩ線に沿う断面図である。
【図１２】インナケースの中間引き出し位置の直前の位置を示す説明図である。
【図１３】本発明の第２実施例を示し、同図はインナケースの最大引き出し位置を示す平面図である。
【図１４】図１３のＸＩＶ−ＸＩＶ線に沿う断面図である。
【図１５】図１３のＸＶ−ＸＶ線に沿う断面図である。
【図１６】図１３のＸＶＩ−ＸＶＩ線に沿う断面図である。
【図１７】図１３のＸＶＩＩ−ＸＶＩＩ線に沿う断面図である。
【図１８】本発明の第２実施例を示し、同図はインナケースの収納状態を示す縦断面図である。
【図１９】本発明の第２実施例を示し、同図はインナケースの中間引き出し位置を示す平面図である。
【図２０】図１９のＸＸ−ＸＸ線に沿う断面図である。
【図２１】本発明の他の実施例を示し、同図は分解斜視図である。
【図２２】本発明の他の実施例を示し、同図はインナケースの最大引き出し位置を示す平面図である。
【図２３】図２２のＸＸＩＩＩ−ＸＸＩＩＩ線に沿う断面図である。
【図２４】本発明の他の実施例を示し、同図はインナケースの中間引き出し位置を示す平面図である。
【図２５】図２４のＸＸＶ−ＸＸＶ線に沿う断面図である。
【符号の説明】
１０    カップホルダー    ２０    カップ
３０    アウタケース      ３１    開口部
３６    スライド溝        ３６Ａ    直線部
３６Ｂ  傾斜部            ４０    インナケース
４１    カップ挿入口      ４４    貫通溝
４４Ａ  平行部            ４４Ｂ  屈曲部
４５    ガイド溝          ４５Ａ  平行部
４５Ｂ  屈曲部            ５０    カップ押さえ部材
５３    移動ピン          ５４    ガイドピン
６０    カップ下支え部材
【図１】
0003599807.tif 000002
【図２】
0003599807.tif 000003
【図３】
0003599807.tif 000004
【図４】
0003599807.tif 000005
【図５】
0003599807.tif 000006
【図６】
0003599807.tif 000007
【図７】
0003599807.tif 000008
【図８】
0003599807.tif 000009
【図９】
0003599807.tif 000010
【図１０】
0003599807.tif 000011
【図１１】
0003599807.tif 000012
【図１２】
0003599807.tif 000013
【図１３】
0003599807.tif 000014
【図１４】
0003599807.tif 000015
【図１５】
0003599807.tif 000016
【図１６】
0003599807.tif 000017
【図１７】
0003599807.tif 000018
【図１８】
0003599807.tif 000019
【図１９】
0003599807.tif 000020
【図２０】
0003599807.tif 000021
【図２１】
0003599807.tif 000022
【図２２】
0003599807.tif 000023
【図２３】
0003599807.tif 000024
【図２４】
0003599807.tif 000025
【図２５】
0003599807.tif 000026